(57)【要約】      （修正有）【課題】施工が容易で且つ充分な組立強度を有するガラスブロック複合壁面体の構築施工方法を提供する。【解決手段】ガラスブロック４及びガラスブロック４の周囲に格子状に配設された目地部材６，８，１０，１２（目地枠体１４）を有するガラスブロック複合キット体２を備え、ガラスブロック複合キット体２を縦方向及び又は横方向に並べながらガラスブロック複合壁面体４２を構成し、木製目地枠で囲まれたガラスブロック１個又は複数個の複合キット体２を、躯体に積木様に積層及び配列しながら組み立てて、複数のガラスグロック複合キット体２からなる壁面に一体化し、木製目地部材に補強強化部材を定着固定し、補強鉄筋コンクリートと同様に、線形弾性理論原理で集合ガラスブロック壁面体を構造的に補強強化した後に、ガラスブロック４間の目地部の表面凹部に、シール又はモルタル化粧目地材を埋め込み化粧仕上げをする新規なガラスブロック施工法。【選択図】図３
2020041342.tif 000002
【特許請求の範囲】
【請求項１】
ガラスブロック及び前記ガラスブロックの周囲に格子状に配設された目地部材を有するガラスブロック複合キット体を備え、前記ガラスブロック複合キット体を縦方向及び又は横方向に重ねてガラスブロック複合壁面体を構成し、前記ガラスブロック複合壁面体の隣接する一対のガラスブロック複合キット体をそれらのガラスブロックの間に介在させ、前記目地部材を介して、補強強化部材を前記目地部材に定着固定することで、線形弾性理論に応じて、構造的に連結強化することを特徴とするガラスブロック複合壁面体の構築施工方法。
【請求項２】
前記ガラスブロック複合壁面体の隣接するガラスブロック複合キット体の間に配設された補強強化部材は異形鉄筋、寸切りボルト、フラットバー、スチールバンド、ラス網テープ、ガラス繊維テープのいずれかから構成し、且つ前記補強化部材のヤング率が前記目地部材よりも大きいことを条件とした請求項１に記載のガラスブロック複合壁面体の構築施工方法。
【請求項３】
前記目地部材に不燃性木材を使用することにより、前期ガラスブロック複合壁体に防火機能を持たすことを特徴とする請求項１及び２に記載のガラスブロック複合壁面体の構築施工方法。
【請求項４】
建物の躯体と、請求項１〜３のいずれかの構築施工方法により前記躯体に取り付けられたガラスブロック複合壁面体から構成された、前記ガラスブロック複合壁面体が線形弾性理論で補強強化され、前記躯体と前記ガラスブロック複合壁面体との間の躯体取合条件が、耐力壁機能を有することを特徴とする前記ガラスブロック複合壁構造体。
【請求項５】
前記躯体と前記ガラスブロック複合壁面体との間の取合部に、エントロピー弾性特性を有するゴム部材を挟むことにより、地震エネルギーの吸収機能を有する耐震及び制震機能をもった上記記載のガラスブロック複合壁面構造体。
【請求項６】
前記目地部材には木材、合板、フレキシブルボード、ケイカル板、プラスチック板のいずれかかに構成され、そのヤング率が補強強化部材より小さい事を条件として、線形弾性理論を適合し、構造的に複合強化されたガラスブロック複合壁面構造体。
【請求項７】
前記ガラスブロック複合壁面体の中間部に中間支持手段が設けられ、前記中間支持手段は、前記ガラスブロック複合壁面体に作用する面外力を支えることを特徴とする請求項１〜６のいずれかの記載のガラスブロック複合壁面構造体。
【請求項８】
ガラスブロック及び前記ガラスブロックの周囲に格子状に配設された目地部材が、ガラスブロック中央部のガラスシール凸部に目地母材が接触しない目地部材で構成されたガラスブロッ複合体キット体。
【請求項９】
前記複合キットが縦方向及び／又は横方向に２つ以上からなる請求項８に記載のガラスブロック複合体キット。
【請求項１０】
前記複合キットを直線平面壁以外にＲ形状、Ｌ形状、コ形状、ロ形状など異形状壁面に配列し構築された前記ガラスブロック複合壁体も含む。
【発明の詳細な説明】
【技術分野】
【０００１】
本発明は、ガラスブロック機能を生した建築内外装構造体、即ちガラスブロック複合壁面体の構築施工方法及びこの施工方法により構築されたガラスブロック複合壁面構造体に関する。
【背景技術】
【０００２】
ガラスブロック（以下、「ＧＢ」とも称する）は、１９４０年に米国ピッバーグ・コーニング社により空洞ガラスとして商品化されたことから始まり、多くの人に愛用され今日に至っている（例えば、特許文献１参照）。このガラスブロック（ＧＢ）が建材として愛用されてきた理由は、他の建材機能にない特徴、即ち光を透す建築構造体である特徴を有しており、このことから光を通すコンクリートとして、壁面、屋根材、床材、衝立アクセサリーなどに愛用されてきており、その特長を具体的に示すと、次の通りである。
【０００３】
（１）透光機能による光を透すオンリ・ワンの建築構造体である、（２）遮音機能により居住性に優れる、（３）断熱機能により省エネ効果を有する、（４）二重ガラス板面構造により衝撃物体の貫通を防止する安全機能を有する、（５）補強鉄筋による鉄筋コンクリート並みの強靭な構造機能を有する、（６）防火機能による建築物の類焼防止機能を有する、（７）内外装化粧が不要の経済性を有する、などの特徴を備えている。
【０００４】
このガラスブロックの施工方法としては、一般的に、手積積層法が主流である。この手積積層方法は、ガラスブロック（ＧＢ）とガラスブロック（ＧＢ）との間のブロック凹部にモルタル材（通称、「パサモルタル」と称されている）を詰め、このモルタル材の中に補強鉄筋を挿入して埋め込みながら積層する。この方法では、また、化粧目地としてＧＢの額縁部深さ１０ｍｍ、幅１０ｍｍの目地部に化粧モルタルを詰めて仕上げる。即ち、ガラスブロック壁面体（「ＧＢ壁面体」とも称する）は、ガラスブロック（ＧＢ）、モルタル材及び補強鉄筋の混合体であることから、鉄筋コンクリートＲＣ（Reinforced Concrete）に対比し、ＲＧＣ（Reinforced
GlassBlock Concrete）と言われている（例えば、非特許文献１及び２参照）。
【０００５】
ガラスブロックの他の施工方法（第２の施工方法）として、大型パネル方式による施工法があり、その基本原理は上述の手積積層法と同じであるが、工場で予め大型パネルに製作し、このパネル化したものを建築躯体にファスナーを介して取付ける施工法であり、一般的に言われているＰＣ施工方法をガラスブロック（ＧＢ）に応用した方式（Prefabricated Concrete方式）である（例えば、非特許文献３参照）。
【０００６】
ガラスブロックの更に他の施工方法（第３の施工方法）として、この施工方法の基本原理は、上記ＰＣ施工方法と同じであるが、ハンドリングに便利な範囲内のサイズの小型パネルを工場で予め生産し、現場で建築躯体にビス止めしてガラスブロック壁面体（ＧＢ壁面体）を構築する方式である（非特許文献３のハウスパネル項目を参照）。
【０００７】
このガラスブロックの更に他の施工方法（第４の施工方法）はＫｉｔｓ方式であり、プラスチック又は金属板状スペーサを目地部材とし、これをガラスブロック（ＧＢ）とを接着剤で接着しながら積層する方式で、化粧目地としてはシール目地材又はモルタル目地材を使用している（例えば、非特許文献４参照）。また、このＫｉｔｓ方式には、木製の障子格子組子枠にガラスブロック（ＧＢ）を嵌め込み、木枠が構造機能と目地化粧を兼ねるようにしたものもある。
【０００８】
このガラスブロックの更に異なる施工方法（第５の施工方法）は、モルタル材とガラスブロックとを用いて小パネル複合体を工場で予め製作し、この小パネル複合体を現場で連結組み立て、この連結組立てに際し補強材を介して小パネル複合体を連結してガラスブロック壁面体（ＧＢ壁面体）を構築する方法である（例えば、特許文献２参照）。この施工方法では、小パネル複合体をモルタル目地材に限定しており、一般パネル方式と同様に製造コストが高く、搬送中に破損しやすく梱包費も高価で、施工寸法の自由度が限定されるため取り扱いが難しい。
【０００９】
尚、この特許文献２には、小パネル複合体の補強定着の技術が具体的に示されていない。例えば、せん断強度が弱い積みモルタル材の表面に引張抵抗材を樹脂接着すれば、表面剥離を起こし、定着強度に耐える強度を確保するのは難しい。また、アンカー部で機械的定着する場合でも、如何ほどのアンカーせん断面積があれば、引張抵抗に耐え得るかの示唆もなされていない。加えて、引張抵抗材は如何ほどの引っ張り強度があれば安全性を保つことが可能かの指示もなされていない。即ち、総括的に定着方法が技術的に幼稚で、補強材と目地材（モルタル目地材）との力学的関係の論理的性がなく、抽象的表現で終わっている。無理に理論性がないにしても、経験的、または実験的見地からの具体性があればよいが、それも明記されていない。即ち、第三者がその内容を具体的に理解出来ない。この文献２に開示された施工方法は、単なる素人の思い付き程度のものであると同時に、施工作業性も大変複雑で実用的価値がない。  
【先行技術文献】
【特許文献】
【００１０】
【特許文献１】米国特許第２，２６１，０１１号明細書
【特許文献２】特開２０１０−２１６２２７号公報
【非特許文献】
【００１１】
【非特許文献１】日本建築学会大会学術講演便覧集（北海道）昭和６１年８月
【非特許文献２】Journal of the Societyof Glass Technology 1952 Vol.XXXVI NEWS AND REVIEWS p1-10 “Translucent Concrete(Society of Glass Technology)
【非特許文献３】日本電気硝子  カタログ＆マニュアル２０１８年度版
【非特許文献４】SEVES GlassBlock Quicktech System  ２０１８年度版
【発明の概要】
【発明が解決しようとする課題】
【００１２】
一般論として、需要者、販売者及び社会に受け入れられないと商品価値はない。即ち、時代の流れに即した社会環境の適合性、必要な時に抵抗感がなく供給出来る便利機能、そのための施工技術による汎用化性、コスト低減、施工後の建築クレーム・レスの成熟した信頼性をもった、正しい施工方法で、素人でも施工が安易に出来ることが課題となる。
【００１３】
過去においては、ガラスブロック（ＧＢ）の専門販売店が施工職人を抱えていて、その流通システム内で責任施工が行たれていたが、近年インターネット（ＷＥＢ）販売が主流となりつつあり、このようなＷＥＢ時代では、素人でも容易に安価にガラスブロック（ＧＢ）が購入でき、素人及びセミ・プロ職人により施工が行われがちである。そのため多くの施工欠陥が生じやすく、このことがガラスブロック離れの原因になっていることは否定できない。この対処法として、３Ｋからの脱却、クリ−ンな施工環境、施工能率の改善、専門職人外の素人でも施工可能な汎用性が求められる。
【００１４】
それに対し、従来では、ガラスブロック（ＧＢ）専門職人による手積積層法が主流であった。しかし、一人前の専門職人になるには、親方の下での修業期間は少なくとも５年が必要であり、その上、建築職人の作業環境は３Ｋの代表的職場である。加えて、仕事受注も不安定であり、結果的には収入も不安定になるため、若年層にとっては職種魅力が少ない。その結果、人材の質も低下し、施工品質も劣化し、このことがガラスブロック（ＧＢ）の需要の妨げの大きい一因となっている。
【００１５】
このようなことから、若年層の職人希望者は皆無に等しく、一方では職人の高齢化は加速的に進行している。特に、建築施工現場では高所作業制約があるため、施工作業者も極端に限定されるため、ガラスブロックは上述した高機能を有していながら近い将来、先進国からは過去の産物となる運命になりつつある。このような問題を解決するために、専門職人に頼ることのなく高品質を保ちながらの施工の汎用化するための新技術の開発が求められている。
【００１６】
この施工方法の汎用化の一つとして、工場生産したパネルを現場作業で建物の躯体に取付けする方法がある。この施工方法では、大面積の工事には適しているが、パネルの工場生産、パネルの保管、パネルのトラック運搬、現場での取付金具（ファスナー）を用いたパネルの組立などにより、現場施工時よりも多くの余分な工程が加わり、ガラス壁面構造体を構築するための施工を含むトータルコストが高くなる。また、小回りが利かない欠点があり、加えて品質面も手積積層法よりも劣る（非特許文献３参照）。
【００１７】
近年、小規模施工の汎用化が行われており、この汎用化の方法としてキット方式の施工法が採用されている。このキット方式では、ガラスブロック（ＧＢ）の目地部に相当する部分にプラスチック製又は金属性の板状スペーサが配設され、この板状スペーサとガラスブロックとが接着固定されて積層組み立てた後に、シール化粧目材で化粧を施したり、或いは化粧モルタル材で化粧目地仕上げしている。この場合の化粧モルタル目地仕上げする場合、例えば、プラスチック製スペーサの上に化粧モルタル材を塗ると、モルタルよりヤング率が小さい物質の上にモルイタルを塗ると、モルタルにヒビ割れが起こりやすいため、一般の目地幅１０ｍｍに対し、目地クラックが入らない範囲の目地幅３ｍｍ以下に制限され、従来の目地幅に比して狭くなり、一般的な施工法に比べて施工後の品質が見劣りする。また、構造面でも大きい面積の施工が難しく、日曜大工程度の価値しかない商品となり、プロ職人工事には殆ど採用されていない。
【００１８】
また、近年、耐震性の向上を図った建築物が要求されるようになっている。従来のガラスブロック施工法では、地震による躯体の層変位から守るために、躯体とガラスブロック壁面体（ＧＢ壁面体）との取合部に１０ｍｍ前後のスポンジベルトを挿入し、建築物に加わる荷重負荷からＧＢ壁面体のガラスブロック（ＧＢ）の破損を守る仕組みになっている。
【００１９】
しかし、このような構造は、建築構造から見れば建築物にＧＢ壁面体相当面積の大きさの開口が壁面にあることになるため、耐震性が低くなり、地震に対して弱い建築物となる。
【００２０】
そこで、ＧＢ壁面体の取合部の境界条件をローラ方式から剛固定にし、制振性機能を備えたガラスブロック耐力壁が近年要求されている。即ち、ＧＢ壁面体が制震機能を持つ壁倍率の大きい耐力壁機能を持ったガラスブロック壁面構造体が要求されている。
【００２１】
本発明の目的は、施工が容易で且つ充分な強度を有するガラスブロック複合壁面体の構築施工方法を提供することである。
【００２２】
更に、本発明の他の目的は、充分な耐震性を備えたガラスブロック複合壁面構造体を提供することである。
【課題を解決するための手段】
【００２３】
本発明のガラスブロック複合壁面体（ＧＢ複合壁面体）の構築施工方法では、このガラスブロック（ＧＢ）の周囲に目地部材を格子状に囲み配設し、隣接する相互のＧＢ目地同士とを構造的に連結固定する。
【００２４】
即ち、本発明のＧＢ複合壁面体の構築施工方法は、ガラスブロック及び前記ガラスブロックの周囲に格子状に配設された目地部材を有するガラスブロック複合キットを縦方向及び／又は横方向に重ね連結することにより、大きい面積に一体化したガラスブロック複合壁面体を構成し、前記単体ガラスブロック複合壁面体同士の連結目地部に、補強用構造部材を目地部に定着固定し、構造的に一体に連結することで、壁面体の面外力に対して、構造部材は引張応力を担い、目地部材とガラスブロックの混合複合体は圧縮応力を担うことで、鉄筋コンクリートと同じ原理で線形弾性理論に従って、ガラスブロック、目地母材及び補強強化部材の３者による壁面構造体の構築施工を行う事を特徴とする。
【００２５】
このＧＢ複合壁面体の構築施工方法によれば、一対のガラスブロック複合キット体（ＧＢ複合キット体）の間に補強強化部材を目地部材に定着し、線形弾性理論により補強強化することで、実用的なガラスブロック補強複合壁面体を構築することができる。
【００２６】
また、このＧＢ複合壁面体の構築施工方法では、目地部材として不燃性木材を用いるのが好ましく、このように構成することにより、ＧＢ複合壁面体に防火性能機能を持たせることができる。
【００２７】
近年、腐食劣化防止、木材の不燃化などと木材加工技術が進み、木材の特性を生かした建築構造躯体として用途拡大がなされている。この構築施工方法では、木材加工技術進歩に着眼し、従来のＲＧＣ（Reinfoced GlassBlock Concrete）に代わるＲＧＷ（Reinfoced
GlassBlock Wood）としての新施工分野を開拓し、ＧＢの本来の優れた機能と、木材の特性機能の複合化により、従来存在していない新規な機能付加価値を持たせたものであり、このように構成することで２１世紀型建築建材として、社会貢献することを目標にしたものである。また、同時に斜陽化した２０世紀型ＧＢＣからの復活（Renaissance）を計るものでもある。
【００２８】
尚、目地部材として木製目地部材を用いることができるが、プラスチック、人工木材類、フレキボード、ＧＲＣ材などの目地部材を用いることもでき、これらの目地部材をもちいても同様の効果を得ることができる。
【００２９】
また、本発明のガラスブロック複合壁面構造体（ＧＢ複合壁面構造体）では、ガラスブロック複合壁面体（ＧＢ複合壁面体）を面外力に対しては線形弾性理論で補強強化し、更にガラスブロックの中央接合部のガラスブロック破損に弱い凸部に、木製目地部材が当たらない様にＶ又はＵカットを施し、ガラスブロックの表面の破損に強い額縁部に面内力が負荷されるように工夫することで、躯体からの壁体への面内応力負荷によるガラスブロックの破損を避けることすることが出来るので、従来施工方式による地震に弱いクッション材ベルト取合によりローラー・ピン境界条件ではなく、壁倍率の大きい地震に強い剛固定でＧＢ複合壁面体を躯体に取付固定することが可能であり、従来施工法では不可能であった耐力壁機能を新たに持つことになる。
【００３０】
即ち、本発明のガラスブロック複合壁面構造体（ＧＢ複合壁面構造体）は、建物の躯体と、請求項１〜３のいずれかの構築施工方法により前記躯体に取り付けられたガラスブロック複合壁面体とから構成され、前記ガラスブロック複合壁面体が線形弾性理論で補強強化され、前記躯体と前記ガラスブロック複合壁面体との間の躯体取合境界条件が、剛固定化することで耐力壁機能を有することを特徴とする。
【００３１】
このＧＢ複合壁面構造体によれば、ＧＢ複合壁面体が線形弾性理論で補強強化され、また建物の躯体とＧＢ複合壁面体との間の躯体取合条件が剛固定された耐力壁機能を有するので、建築物躯体に作用する面内地震荷重負荷がＧＢ複合壁面体で支持され、建物の耐震化に大きく貢献することになる。従って、本発明のＧＢ複合壁面構造体は、従来施工法によるガラスブロック壁面よりも、より大きい面積の施工が可能で、デザイン性機能も上がり、風による面外力による耐風圧機能、及び耐力壁による耐震機能、且つ施工の大衆汎用化、施工コストの低減が可能な画期的な発明と言える。
【００３２】
このＧＢ複合壁面構造体では、躯体とＧＢ複合壁面体との間の取合部に、弾性特性を有するゴム部材を介在することで、ゴム部材で地震振動にたいしてダンパー機能を持たせれば地震エネルギーを吸収するので制震機能も果たすことができる。
【００３３】
また、このＧＢ複合壁面構造体では、目地母材の木材の代替として、合板、フレキシブルボード、ケイカル板、プラスチック板のいずれも、補強部材よりもヤング率が小さければ線形弾性理論の適合が可能で、作業性及びコスト的問題を除外すれば使用することが出来る。
【００３４】
また、このＧＢ複合壁面構造体では、ＧＢ複合壁面体に作用する面外力を充分に支えるために、ＧＢ複合壁面体の中間部に中間支持手段を設け、この中間支持手段でＧＢ複合壁面体に作用する面外力を支えることで、大きいＧＢ複合壁面体の構築も可能となる。
【００３５】
このＧＢ複合キットは、ＧＢを縦方向及び／又は横方向に連続的に連結した所望数のガラスブロック（ＧＢ）を備えたＧＢ複合キット体を製作することもできる。
【発明の効果】
【００３６】
第１に、本発明のＧＢ複合壁面体の構築施工方法によれば、専門施工技術者でなくても、正しい施工ができ、汎用性の高い構築施工方法を提供することができる。また、キット方式で、乾式施工で、クリーン環境での施工工事ができ、施工工事の３Ｋを撲滅することができる。
【００３７】
第２に、この構築施工方法に関連して、目地部材を例えば木製にすることにより、軽量
化を図ることができるとともに、そのハンドリングが容易となり、施工工事工がしやすくなる。また、ガラスブロック複合壁面体（ＧＢ複合壁面体）のサイズ調整に鋸、鉋などの木材用道具を使用して行うことができ、これにより、ＧＢ複合壁面体のサイズ調整切断、目地幅調整などのための加工が容易となる。特に、サイズの自由度は施工作業の小回りを可能にし、作業の柔軟性をもたらし大変な作業上のメリットがある。加えて、目地部材として例えば木製目地部材を用いることにより、目地部材に釘打ち、ビス止めなどが可能となり、一般木材壁と同じく生活に便利な使用が可能となる。
【００３８】
第３に、本発明のガラスブロック複合壁面構造体（ＧＢ複合壁面構造体）によれば、ガラスブロック（ＧＢ）のブロック凹部の中央部（即ち、最も破損し易い溶着部）に躯体などの外圧力が負荷されないように工夫を施すことでＧＢを破損から守っている。即ち、従来のＲＧＷ施工法による壁のように、躯体との取合部をクッション材を挟み構造的に離縁する必要がなくなる。因みに、ＧＢ額縁部の無垢ガラスの破壊圧縮応力度は木材の２０倍以上あり、仮に目地部材（例えば、木製目地部材）が破損しても、ＧＢの破損は起らない。従って、躯体にＧＢ複合壁面体を直接的に取り付けることも可能となり、これにより、ＧＢ複合壁面体を建物の躯体に剛固定することができ、このように剛固定することにより、耐力壁としての機能を持たせることができる。即ち、壁倍率が大きくなり、耐震壁としての制振性の向上を果たすことができ、光を透す大面積のＧＢ複合壁面体の構築が可能となる。また、剛固定は、構造力学的に曲げモーメントが小さくなるため、このことによっても、大きい面積のＧＢ複合壁面体の構築が可能となる。
【００３９】
第４に、このＧＢ複合壁面構造体に関連して、目地部材として例えば木製目地部材を用
いることにより、従来のモルタル目地の場合に比して、熱還流係数が２割小さくなり、これにより、暖冷房の効率が高くなって省エネを図ることができる。また、寒冷地であっても結露が起り難く、衛生的に保つことができ、居住性も改善される。
【００４０】
第５に、目地部材として例えば不燃性木材を用いることにより、防火機能のあるＲＧＷ
壁（不燃性のＧＢ複合壁面体）の構築が可能となる。
【００４１】
第６に、ＧＢ複合壁面体の中央部が空洞であるのため、この空洞部は、漏水の際に水が
流れる道として機能し、壁面からの漏水を防止することができる。仮に、目地部からＧＢ複合壁面体に水が侵入しても、従来のＧＢ壁面体と違って、その空洞部が水の道（みち）としての機能を果たし、ＧＢ複合壁面体の下部から水抜排水をすることにより、室内側への水漏れに対するするクレームは発生しない。
【００４２】
第７に、本発明のガラスブロック複合キット体（ＧＢ複合キット体）によれば、ガラス
ブロック（ＧＢ）と目地部材（例えば、木製目地部材）との複合体であるので、それらを用いて構築したＧＢ複合壁面体の改装、解体が容易であり、また解体したガラスブロックの再利用も可能であり、レイアウト変更が頻繁に行われる工場、オフィス、店舗の間仕切りなどに好都合に適用することができる。
【００４３】
第８に、このようなＧＢ複合キット体は、小型のものから重機を使用する大型のものまで適用することができ、大型のものについては、補強部材で補強することにより、線形弾性理論に基づいたＧＢ複合キット体として適合することができる。
【図面の簡単な説明】
【００４４】
【図１】本発明に従うＧＢ複合キット体の一実施形態を示す正面図。
【図２】図１におけるＩＩ−ＩＩ線による断面図。
【図３】図１のＧＢ複合キット体を用いた施工例を説明するための簡略図。
【図４】他の実施形態のＧＢ複合キット体の一部を示す正面図。
【図５】図４のＧＢ複合キット体を用いた施工例を説明するための簡略図。
【図６】隣接するＧＢ複合キット体の接続構造の一例を示す部分断面図。
【図７】図６の接続構造の一部を拡大して示す部分拡大断面図。
【図８】隣接するＧＢ複合キット体の接続構造の他の例を示す部分断面図。
【図９】図８の接続構造の一部を拡大して示す部分拡大断面図。
【図１０】ＧＢ複合壁面体の接合構造の第１実施例の構造を示す部分断面図。
【図１１】ＧＢ複合壁面体の接合構造の第２実施例の構造を示す部分断面図。
【図１２】第１実施例の接合構造に線形弾性理論を適用して計算した断面性能結果を示す説明図。
【図１３】第２実施例の接合構造に線形弾性理論を適用して計算した断面性能結果を示す説明図。
【図１４】ＧＢ複合壁面体の接合構造の第３実施例の構造を示す部分断面図。
【図１５】ＧＢ複合壁面体の接合構造の第４実施例の構造を示す部分断面図。
【図１６】第３実施例の接合構造に線形弾性理論を適用して計算した断面性能結果を示す説明図。
【図１７】第４実施例の接合構造に線形弾性理論を適用して計算した断面性能結果を示す説明図。
【図１８】木製目地部材にスチールバンドを貼り付けて補強した構造に線形弾性理論を適用して計算した断面性能結果を示す説明図。
【図１９】木製目地部材に線形弾性理論を適用して計算した断面性能結果を示す説明図。
【図２０】コンパネ材の両面にスチールバンドを貼付した例を示す図。
【図２１】図２０の例（コンパネ材＋スチールバンド）に線形弾性理論を適用して計算した断面性能結果を示す説明図。
【図２２】木製母材と補強部材との間の滑り定着応力を説明するための説明図。
【図２３】躯体負荷が木製目地部材の短期圧縮応力度だけ負荷されたときのＧＢの破損を検討する破損検討図。
【図２４】ＧＢ複合壁面体と建物の躯体との間の取合部を示す断面図。
【図２５】ＧＢを板状部材で囲んで積層したＧＢ複合キット体の他の例を簡略的に示す図。
【図２６】図２５に示す例における隣接する一対のＧＢ複合キット体の一部を拡大して示す部分拡大断面図。
【図２７】大面積のＧＢ複合壁面体を備えたＧＢ複合壁面構造体を示す簡略図。
【図２８】図２７のＧＢ複合壁面構造体に適用された中間支持手段及びそれに関連する構成を示す部分断面図。
【発明を実施するための形態】
【００４５】
以下、添付図面を参照して、本発明に従うガラスブロック複合キット体（ＧＢ複合キット体）、これを用いたガラスブロック複合壁面体（ＧＢ複合壁面体）の構築施工方法及びこのＧＢ複合壁面体を備えたガラスブロック複合壁面構造体（ＧＢ複合壁面構造体）の各種実施形態について説明する。
【００４６】
図１及び図２において、図示のガラスブロック複合キット体（ＧＢ複合キット体）２は、矩形状のガラスブロック（ＧＢ）４と、このＧＢ４の４側壁５の周囲に格子状に配設された４つの目地部材６，８，１０，１２を備え、これら目地部材６〜１２は、例えば接着剤により固定されてＧＢ２の周囲を囲む目地枠体１４を構成し、ＧＢ４は、この目地枠体１４内に嵌め込まれた状態となる。
【００４７】
ガラスブロック（ＧＢ）４は、片側ブロック材１６の側壁１８と他側ブロック材２０の側壁２２とを溶着させて中空ブロック状に形成され、片側ブロック材１６の側壁１８と他側ブロック材２０の側壁２２とがＧＢ４の側壁５を構成し、このようなＧＢ４自体は市販されている。このＧＢ４においては、片側ブロック材１６の壁部２４の外周縁部２６は、その側壁１８から外側に突出しており、また他側ブロック材２０の壁部２８の外周縁部３０は、その側壁２２から外方に突出している。また、片側ブロック材１６と他側ブロック材２０との溶着部３２は、略半球状に外側に突出し、ＧＢ４の側壁５の全周にわたって帯状に設けられている。
【００４８】
このようなガラスブロック（ＧＢ）４では、溶着部３２の強度が弱く、この溶着部３２に大きな荷重負荷が作用しないように目地枠体１４が定着固定される。この実施形態では、目地枠体１４（目地部材６〜１２）の内面にＧＢ４の溶着部３２に対応して収容凹部３４が設けられ、この収容凹部３４内に溶着部３２が収容され、目地枠体１４（目地部材６〜１２）からの荷重負荷がＧＢ４の側壁５に作用し、この溶着部３２に直接的に作用しないように構成される。
【００４９】
目地枠体１４（目地部材６〜１２）の収容凹部３４は、例えば、その内面を所要の通りに削って形成することができ、このような構成に代えて、目地部材６〜１２の幅方向両側に補助部材（図示せず）を設け、これら補助部材によりそれらの間に収容凹部を設けるようにしてもよい。
【００５０】
このような目地部材６〜１２は、例えば、木製のもの（即ち、木製目地部材）から形成することができ、不燃性の木材から形成するのが好ましい。この目地部材６〜１２は、    木製のもの以外に、プラスチック、人工木材類、フレキボード、ＧＲＣ材などから形成することができる。
【００５１】
このようなＧＢ複合キット体２が、例えば、工場にて生産される。そして、生産されたＧＢ複合キット体２が施工現場に搬送され、図３に示すように、施工現場にて横方向に連続的に並べられるとともに、上下方向に連続的に積層されることにより、大面積のガラスブロック複合壁面体（ＧＢ複合壁面体）４２が構築される。そして、このＧＢ複合壁面体４２に、後述するように線形弾性理論を応用することで、従来のものに比してより大きい構造壁体を構築することができる。このようなＧＢ複合キット体２は、横方向にのみに連続的に並べる或いは縦方向にのみ連続的に積層するようにしてもよい。尚、隣接するＧＢ複合キット体２の具体的接続構造については、後述する。
【００５２】
図１〜図３においては、１つのＧＢ４を備えたＧＢ複合キット体２の実施形態について説明したが、このようなＧＢ複合キット体２は、複数個（２個以上の適宜の個数）のガラスブロック（ＧＢ）４を横方向に連続的に並べるようにして構成するようにしてもよく、又は複数個（２個以上の適宜の個数）のＧＢ４を縦方向に連続的に積層するようにして構成するようにしてもよく、或いは複数個のＧＢ４を横方向及び縦方向に連続的に積層するようにして構成するようにしてもよい。
【００５３】
複数個（この形態では、９個）のガラスブロック（ＧＢ）４を横方向に連続的に並べたＧＢ複合キット体は、例えば、図４及び図５に示すような構成となる。図４及び図５において、このＧＢ複合キット体２Ａにおいては、矩形状のキット枠体１４Ａを備え、このキット枠体１４Ａに複数のガラスブロック（ＧＢ）４が横方向に並べて嵌め込まれている。キット枠体１４Ａは、複数個（この形態では、９個）のＧＢ４の外周を囲むように設けられ、横方向に細長い一対の横目地部材８Ａ，１２Ａと、これら横目地部材８Ａ，１２Ａの両端部を接続する一対の縦目地部材６Ａ，１０Ａとから構成されている。
【００５４】
このように複数個のＧＢ４を横方向に連続的に並べた場合、横方向に隣接する一対のＧＢ４の間に縦中間目地部材５２が介在され、この縦中間目地部材５２を介して一対のＧＢ４が定着固定される。縦中間目地部材５２は、一対の横目地部材８Ａ，１２Ａ間を延び、その上端部が上側の横目地部材８Ａに接続され、その下端部が下側の横目地部材１２Ａに接続される。
【００５５】
このようなＧＢ複合キット体２Ａも工場で生産され、生産されたＧＢ複合キット体２Ａが施工現場に搬送され、図５に示すように、施工現場にて例えば上方向に積層されてＧＢ複合壁面体５４が構築される。
【００５６】
この実施形態では、上下方向に隣接する一対のＧＢ複合キット体２Ａの間に補強部材５６が配設されている。補強部材５６は、例えば鉄筋（例えば、ボルト筋、異形鉄筋など）から構成され、一対のＧＢ複合キット体２Ａ間を横方向に延び、例えば、その一端部は建物の躯体５８の一端側壁部６０に固定され、その他端部はこの躯体５８の他端側壁部６２に固定され、このように構成することにより、ＧＢ複合キット体２Ａを用いて構築したガラスブロック複合壁面体（ＧＢ複合壁面体）５４は、補強部材５６を介して建物の躯体５８に固定され、この躯体５８との間の取合条件が剛固定された状態となり、これによりＧＢ複合壁面体５４が剛固定された耐力壁機能を有し、躯体５８を含むガラスブロック複合壁面構造体（ＧＢ複合壁面体）６４の強度を高め、充分な耐震性を確保することができる。
【００５７】
この補強部材５６としては、鉄筋に代えて、寸切りボルト、フラットバー、ラス網テープ、ガラス繊維テープなどを用いることができる。この補強部材５６については、そのヤング率が目地部材、即ち補強部材５６と平行に配設される目地部材であって、この場合横目地部材８Ａ，１２Ａよりも大きくなる材料を選択することが好ましく、このように構成することにより、ＧＢ複合壁面体の接合構造に線形弾性理論を適用して補強強化を図ることができる。
【００５８】
上述の実施形態では、複数個のガラスブロック（ＧＢ）４を横方向に連続的に並べたＧＢ複合キット体に適用して説明したが、複数個のＧＢを縦方向に連続的に積み重ねてＧＢ複合キット体を構成するようにしてもよく、この場合、図示していないが、縦方向に細長いキット枠体に複数のＧＢが縦方向に積層して嵌め込まれ、縦方向に隣接する一対のＧＢの間に横中間目地部材が介在され、この横中間目地部材を介して一対のＧＢが定着固定される。この横中間目地部材は、一対の縦目地部材間を延び、その一端部が片側の縦目地部材に接続され、その他端部が他側の縦目地部材に接続される。
【００５９】
この場合においては、横方向に隣接する一対のＧＢ複合キット体の間に補強部材が配設され、この補強部材は、一対のＧＢ複合キット体間を縦方向に延び、例えば、その上端部は建物の躯体の上端側壁部に固定され、その下端部はこの躯体の下端側壁部に固定され、このように構成することにより、ＧＢ複合キット体を用いて構築したガラスブロック複合壁面体（ＧＢ複合壁面体）は、上述したと同様に、補強部材を介して建物の躯体に固定され、この躯体との間の取合条件が剛固定された状態となり、これによりＧＢ複合壁面体が剛固定された耐力壁機能を備えるようになる。
【００６０】
次に、図６及び図７を参照して、ガラスブロック複合キット体（ＧＢ複合キット体）の接合構造の一例について説明する。この接合構造では、ＧＢ複合キット体として図１及び図２に示すものを用い、補強部材として鉄筋（例えば、ボルト筋）を用いて図３に示すように施工している。尚、この接合構造の理解を容易にするために、ガラスブロック（ＧＢ）については断面で示し、主要部分については寸法（ｍｍ）を示している。また、以下の実施形態において、図１〜図３の実施形態と実質上同一のものには同一の番号を付し、その説明を省略する。
【００６１】
この接合構造では、ＧＢ複合壁面体としては、図３に示すように、ＧＢ複合キット体２Ｂが横方向の連続的に並べられるとともに、縦方向（上下方向）に連続的に積層され、このように構築するときに、隣接するＧＢ複合キット体２Ｂの目地枠体１４が接着剤により仮固定される。
【００６２】
そして、この横方向に接合する際に、上下方向に隣接する一対のＧＢ複合キット体２Ｂの間に、一対の横鉄筋７２（横補強部材として機能する）が配設され、一対の横鉄筋７２は、複数の下側ＧＢ複合キット体２Ｂと複数の上側ＧＢキット体２Ｂとの間を横方向に延び、それらの両端部は、例えば建物の躯体（図示せず）に固定される（又は、後述する如く躯体に支持される）。この接合構造では、目地枠体１４の片側（図６において左側）に一方の横鉄筋７２が配設され、その他側（図６において右側）に他方の横鉄筋７２が配設されているが、所要の強度が確保できる場合には、一対の横鉄筋７２のいずれか一方を省略するようにしてもよい。
【００６３】
また、この接合構造では、縦方向に連続的に積層する際に、横方向に隣接する一対のＧＢ複合キット体２Ｂの間に、一対の縦鉄筋７４（縦補強部材として機能する）が配設され、一対の縦鉄筋７４は、複数の片側ＧＢ複合キット体２Ｂと複数の他側ＧＢキット体２Ｂとの間を上下方向に延び、それらの両端部は、建物の躯体（図示せず）に固定される（又は後述する如く躯体に支持される）。この接合構造では、目地枠体１４の片側（図６において左側）に一方の縦鉄筋７４が配設され、その他側（図６において右側）に他方の縦鉄筋７４が配設されているが、所要の強度が確保できる場合には、一対の縦鉄筋７４のいずれか一方を省略するようにしてもよい。
【００６４】
また、この接合構造では、上下方向に隣接するＧＢ複合キット体２Ｂの間に横鉄筋７２（横補強部材）を配設し、横方向に隣接するＧＢ複合キット体２Ｂの間に縦鉄筋７４（縦補強部材）を配設しているが、所要の強度が確保できる場合には、横鉄筋７２及び縦鉄筋７４のいずれか一方を省略するようにしてもよい。
【００６５】
横方向に隣接するＧＢ複合キット体２Ｂの間の目地空間及び縦方向に隣接するＧＢ複合キット体２Ｂの間の目地空間には、図６及び図７に示すように、例えばモルタル目地材７６が充填され、このモルタル目地材７６を介してＧＢ複合キット体２Ｂが固定され、このモルタル目地材７６によりＧＢ複合壁面体の目地部が仕上げられている。
【００６６】
このように施工したＧＢ複合壁面体では、補強部材としての鉄筋（横鉄筋７２及び縦鉄筋７４）で補強強化され、また建物の躯体（図示せず）とＧＢ複合壁面体との間の躯体取合条件が、剛固定された耐力壁機能を備えた状態となり、耐震性に優れたＧＢ複合壁面構造体を提供することができる。
【００６７】
次に、図８及び図９を参照して、ガラスブロック複合キット体（ＧＢ複合キット体）の接合構造の他の例について説明する。この接合構造では、ＧＢ複合キット体として図１及び図２に示すもの用いているが、補強部材としてスチールバンドを用いて図３に示すように施工している。尚、図８及び図９においても、この接合構造の理解を容易にするために、ガラスブロック（ＧＢ）については断面で示し、主要部分については寸法（ｍｍ）を示している。
【００６８】
この接合構造では、ＧＢ複合壁面体としては、図３に示すように、ＧＢ複合キット体２Ｃが横方向の連続的に並べられるとともに、縦方向（上下方向）に連続的に積層され、この横方向に接合する際に、上下方向に隣接する一対のＧＢ複合キット体２Ｃの目地枠体１４（上側ＧＢ複合キット体２Ｃの目地部材１２及び下側ＧＢ複合キット体２Ｃの目地部材８の両端面）に一対の横スチールバンド８２（横補強部材として機能する）が配設され、一対の横スチーブバンド８２は、複数の上側ＧＢ複合キット体２Ｃの目地枠体１４から複数の下側ＧＢキット体２Ｃの目地枠体１４までの幅でもって横方向に延びている。この横スチールバンド８２は、例えば、ＧＢ複合キット体２Ｃの目地枠体１４に構造用接着剤、例えばエポキシ接着剤を塗布して横スチールバンド８２を仮貼付し、押付ローラ（図示せず）でもってこの横スチールバンド８２を目地枠体１４に押し付けて貼付する。
【００６９】
この接合構造では、目地枠体１４の片側（図８において左側）に一方の横スチールバンド８２が配設され、その他側（図８において右側）に他方の横スチールバンド８２が配設されているが、所要の強度が確保できる場合には、一対の横スチールバンド８２のいずれか一方を省略するようにしてもよい。また、大きな強度を確保する場合には、横スチールバンド８２に加えて上述の横鉄筋を組み合わせて用いるようにしてもよい。
【００７０】
また、この接合構造では、縦方向に連続的に積層する際に、横方向に隣接する一対のＧＢ複合キット体２Ｃの目地枠体１４（片側ＧＢ複合キット体２Ｃの目地部材６及び他側ＧＢ複合キット体２Ｃの目地部材１０の両端面）に一対の縦スチールバンド８４（縦補強部材として機能する）が配設され、一対の縦スチーブバンド８４は、複数の片側ＧＢ複合キット体２Ｃの目地枠体１４から複数の他側ＧＢキット体２Ｃの目地枠体１４までの幅でもって縦方向（上下方向）に延びている。この縦スチールバンド８４は、例えば、横スチールバンド８２と同様に、ＧＢ複合キット体２Ｃの目地枠体１４に例えばエポキシ接着剤を塗布して縦スチールバンド８４を仮貼付し、押付ローラ（図示せず）でもってこの縦スチールバンド８４を目地枠体１４に押し付けて貼付する。
【００７１】
この接合構造では、目地枠体１４の片側に一方の縦スチールバンド８２が配設され、その他側に他方の縦スチールバンド８４が配設されるが、所要の強度が確保できる場合には、一対の縦スチールバンド８４のいずれか一方を省略するようにしてもよい。また、大きい強度を確保する場合には、スチールバンドを重ねて貼り付けすれば可能である。
【００７２】
また、この接合構造では、上下方向に隣接するＧＢ複合キット体２Ｃの目地枠体１４に横スチールバンド８２（横補強部材）を配設し、横方向に隣接するＧＢ複合キット体２Ｃの目地枠体１４に縦スチールバンド８４（縦補強部材）を配設しているが、所要の強度が確保できる場合には、横スチールバンド８２及び縦スチールバンド８４のいずれか一方を省略するようにしてもよい。
【００７３】
横方向に隣接するＧＢ複合キット体２Ｃの間の目地空間及び縦方向に隣接するＧＢ複合キット体２Ｃの間の目地空間には、図８及び図９に示すように、例えばモルタル目地材８６が充填され、このモルタル目地材７６を介してＧＢ複合キット体２Ｃが固定される。この接合構造では、このモルタル目地材８６の外側にモルタル化粧材８８が塗布され、このモルタル化粧材８８により目地部がきれいに化粧仕上げされる。
【００７４】
このように施工したＧＢ複合壁面体では、補強部材としてのスチールバンド（横スチールバンド８２及び縦スチールバンド８４）で補強強化され、耐風及び耐震性に優れたＧＢ複合壁面体を提供することができる。
【００７５】
尚、上述した接合構造では、ＧＢ複合壁面体の目地部をモルタル目地材で目地仕上げしているが、モルタル目地材に代えてシール目地材でもって目地仕上げするようにしてもよい。
【００７６】
図１０及び図１１は、ＧＢ複合壁面体の目地部にモルタル目地材９０を充填した結合構造を示しており、図１０においては、ＧＢ複合壁面体に用いる補強部材としてＭ５のボルト筋９２を用いており、図１１においては、ＧＢ複合壁面体に用いる補強部材としてスチールバンド９４を用いている。図１０の結合構造におけるその他の構成は、図６及び図７に示す結合構造と同様であり、図１１の結合構造におけるその他の構成は、図８及び図９に示す結合構造と同様である。
【００７７】
まず、図１０のＧＢ複合壁面体の結合構造に線形弾性理論を適用して計算すると、次の通りとなる。尚、図１０の図面中に、配筋（Ｍ５ボルト筋９２）、目地幅、目地枠体の寸法を示している。この線形弾性理論を適用する場合、配筋、目地枠体、モルタル材などの物理特性が重要であり、これらの物理特性を一般的な数値を用いて計算する。
【００７８】
図１０のＧＢ複合壁面体の結合構造に用いる材料の特性は、次の通りである。
（ａ）目地部材（木製目地部材：構造合板）
Ew=0.95E5kg/cm2 
fb=135kg/cm2
（ｂ）補強部材（Ｍ５ステンレス製ボルト筋）
Es=20Ekg/cm2 
ft=2100kg/cm2    A=0.142cm2
（ｃ）モルタル材
Em=1.5E5kg/cm2 
fc=105kg/cm2(F=230kg/cm2)
このＧＢ複合壁面体においては、引張り荷重負荷に対しては補強部材（Ｍ５ボルト筋９２）が担うが、圧縮荷重負荷に対してはガラスブロック（ＧＢ）の額縁部とモルタル目地材（モルタル目地部）の直並列の合成複合体が担うことになる。この合成複合体のヤング率はモルタル目地材の直並列とガラスブロックの混合則か求めることができる。
【００７９】
図１０の第１実施例の計算例（記号：ＭＭ５ＷＭ５Ｍ）
（目地モルタル材Ｍ＋Ｍ５ボルト筋Ｍ５＋木製目地部材Ｗ＋Ｍ５ボルト筋Ｍ５＋目地モルタル材Ｍ）
〈計算条件〉
（１）入力
ＧＢサイズ          Lg=19cm
目地幅              Lj=1cm
モジュール          Lb=20cm(GB:19cm+目地1cm)
Ｍ５有効面積        A=0.142cm2
筋間隔              @=20cm
有効せい高          di=6.5cm
筋短期許容値        fi=2,100kg/cm
モルタル短期許容値  fm=105kg/cm
混合体のヤング率    Ec=4.4E5kg/cm2
（２）断面性能（幅１ｃｍ当たり）
圧縮側中立軸        nc=0.61cm
引張側中立軸        ni=5.9cm
圧縮側断面係数      Zc=1.9cm2
引張側中立軸        Zi=0.05cm2
曲げ剛性            D=5.3E5kgcm
許容曲げモーメント  M=94kg
また、図１１の複合壁面体の結合構造に用いる材料は、補強部材としてＭ５ボルト筋９２に代えてスチールバンド９４を用いる以外は図１０の複合壁面体と同様であり、このスチールバンド９４の特性は、次の通りである。
【００８０】
（ｄ）スチールバンド（商品名：Ｃ２０４９９ステンレスバンド（日東梱包用））
t=0.076cm    w=1.27cm  
A=0.096cm2
Eb=20E5kg/cm2 
ft=3,500kg/cm2
このＧＢ複合壁面体においては、引張り荷重負荷に対しては補強部材（スチールバンド９４）が担うが、圧縮荷重負荷に対してはガラスブロック（ＧＢ）の額縁部とモルタル目地材（モルタル目地部）の直並列の合成複合体が担うことになる。この合成複合体のヤング率はモルタル目地材の直並列とガラスブロックの混合則で求めることができる。
【００８１】
図１１の第２実施例の計算例（記号：ＭＢＷＢＭ）
（目地モルタル材Ｍ＋スチールバンドＢ＋木製目地部材Ｗ＋スチールバンドＢ＋目地モルタル材Ｍ）
この場合における計算条件（入力及び断面性能）は、上述したと同様になる。
【００８２】
上述の第１実施例（ボルト筋＋モルタル目地材）について線形弾性理論で計算した結果の断面性能は、図１２に示す通りとなり、また上述の第２実施例（スチールバンド＋モルタル目地材）についての線形弾性理論で計算した結果の断面性能は、図１３に示す通りとなる。
【００８３】
図１４の第３実施例の計算例（記号：ＳＭ５ＷＭ５Ｓ）
（目地シール材Ｓ＋Ｍ５ボルト筋Ｍ５＋木製目地部材Ｗ＋Ｍ５ボルト筋Ｍ５＋目地シール材Ｍ）
図１４及び図１５は、ＧＢ複合壁面体の目地部にシール目地材９６を充填した結合構造を示しており、図１４においては、ＧＢ複合壁面体に用いる補強部材として、上述の第１実施例と同様のＭ５のボルト筋９２を用いており、図１５においては、ＧＢ複合壁面体に用いる補強部材として、上述の第２実施例と同様のスチールバンド９４を用いている。異なる点は化粧目地材として、モルタルの替わりに非構造体であるシール材を使用した点である。
【００８４】
シール材は圧縮応力を担わないので、力学的には全く関与しない。従って複合体の要素は木材目地母材１５ｍｍ幅とガラスブロックの凹間長の１８５ｍｍの複合体（＠＝１８５＋１５＝２００）の混合則によるヤング率で線形弾性理論の適用になる。
【００８５】
図１４のＧＢ複合壁面体に関する線形弾性理論を適用して計算すると、図１６の通りとなる。
【００８６】
図１５の第４実施例の計算例（記号：ＳＢＷＢＳ）
（目地シール材Ｓ＋スチールバンドＢ＋木製目地部材Ｗ＋スチールバンドＢ＋目地シール材Ｓ）
この場合における計算条件（入力及び断面性能）は、図１４のＧＢ複合壁面体と同様にシール目地材は線形弾性理論での力学的には関与しないので、木材母材の目地幅とガラスブロックの凹部間幅の混合体が混合則に従って線形弾性理論による圧縮力を担うことになる。
【００８７】
上述の第３実施例（ボルト筋＋シール目地材）について線形弾性理論で計算した結果の断面性能は、図１７に示す通りとなる。
【００８８】
ボルト筋（所謂、寸切りボルト）（又は異形鋼筋）を使用した場合、モルタル化粧材とモルタル目地材が剛に定着するので、ボルト筋（又は異形鋼筋）よりもヤング率が小さいモルタル材（目地材及び化粧材）には収縮クラック（ひび割れ）が起こらないが、これに対して、モルタル材（目地材及び化粧材）と非定着性の補強部材、例えばスチールバンドを補強部材として用いた場合（モルタル材と非定着性補強部材との組合せの場合）、スチールバンドとモルタル材との間には定着性がなく側面を挟んでいる額縁のガラスブロック（ＧＢ）と接触部のみが目地クラック防止の役を果たすことになるので、目地幅が３ｍｍ以上のときには、ＧＢ複合壁面体の化粧目地に収縮クラックが入る可能性がある。
【００８９】
そのために、この収縮クラックの発生を防止するために、目地化粧材内（所謂、化粧目地）に作業に支障が生じない程度にＦＲＣ用ビニロン繊維（６ｍｍ以下にカットしたもの）を数パーセント（０．５〜５．０％程度）混入し、このように混入させてフレキボード補強するのが好ましい。その混入が０．５％以下であると効果がなく、その混入が５．０％以上になると作業性が悪くなる。また、その繊維長が６ｍｍ以上になると、鏝作業が困難になる。
【００９０】
尚、目地クラックが発生するタイミングは硬化進行中の３日以内（即ち、モルタル材が完全に硬化する前の低ヤング率のとき）に起こりやすくなるので、このように構成することにより、クラックの分散が起こり、ヘヤークラックの防止に効果がある。
【００９１】
図１８は、木製目地部材（母材単体）にスチールバンドを貼り付けて補強したときの線形弾性理論を適用した結果を示す説明図である。また、図１９は、木製目地部材（補強部材を貼り付けていない）に線形弾性理論を適用した結果を示す説明図である。
【００９２】
図１８の計算例（記号：ＢＷ（厚さ×幅：１．５×５ｃｍ）
（スチールバンドＢ＋木製目地部材Ｗ）
図１８において、主力筋方向のみを補強しており、この形態では、木製目地部材１０２の両側面に補強部材としてのスチールバンド１０４が貼付されている。このように木製目地部材１０２を補強した場合、配力筋方向には筋がないために、各単位毎とパネル（ＧＢ複合壁面体）が連結されてなく、圧縮側は混合則によるＧＢ複合壁面体の機能を果たすことがなく、木製目地部材単独断面で、ガラスブロック（Ｗ＝２０ｃｍ）の幅モジュールの面積を担うことになる。即ち、主力筋ガラスブロックと木材の混合体を混合則による圧縮を考慮しないで、木製目地部材単独のみの断面性能となる。尚、スチールバンドは、上述したものと同様のものである。
【００９３】
（ｆ）木製目地部材
厚さ１．５ｃｍ      幅５ｃｍ
図１９の計算例（記号：Ｗ（厚さ×幅：１．５×５））
（木製目地部材Ｗ）
図１８の木製目地部材を単独で用いた場合である。
【００９４】
図１８の例（ＳＷ）（スチールバンド＋木製目地部材）について線形弾性理論で計算した結果の断面性能は、図１８に示す通りとなり、また図１９の例（木製目地部材単独）についての線形弾性理論で計算した結果の断面性能は、図１９に示す通りとなり、図１８及び図１９の計算結果から明らかなように、スチールバンドで木製目地部材を線形弾性理論により補強強化することにより、曲モーメントに対して約３倍の強度アップを図ることができる。
【００９５】
このような線形弾性理論による補強強化は、例えば、一般のコンパネ材などにも拡張して適用することができる。図２０においては、コンパネ材としてのベニヤ板に適用して説明する。
【００９６】
図２０の計算例
図２０において、コンパネ材としてのベニヤ板１１２（厚さ９ｍｍ、幅１００ｍｍ）の両面に、補強部材としてスチールハンド１１４を例えば１０ｃｍ間隔（＠＝１０ｃｍ）毎に接着剤を用いて貼り付けて補強を行う。スチールバンド１１４の特性は、材質：Ｃ２０４９９、厚さｔ＝０．０７６ｃｍ、幅Ｗ＝１．２７ｃｍ、断面積Ａ＝０．０９６ｃｍ２、ｆｔ＝３，５００ｋｇ／ｃｍ２である。
【００９７】
線形弾性理論が成立するには、木製母材（この場合、ベニヤ板１１２）と補強部材（この場合、スチールバンド１１４）との間が定着される必要がある。木製母材と補強部材との間にスベリが発生すると上述した強化補強機能がなくなり、単なる単純構造体になり、補強部材により構造的に補強強化されなくなる。そこで、必要な有効必要定着強度を求めて、線形弾性理論が成立するか否かを判定することが重要なポイントとなる。
【００９８】
この確認を次の条件で行う。即ち、上述の第４実施例の計算例（ＳＢＷＢＳ）で補強部材としてスチールバンドを使用し、面外荷重負荷ω＝１００ｋｇ／ｍ２、剛固定２辺支持条件での安全範囲内（Ｍ＜８２ｋｇ）のスパン長ｌ＝√（１２×Ｍ／ω）＝３１３≒３００ｃｍ（ＧＢ１５列）とする。
（ｇ）材料特性
定着エポオキシ：商品名  旭化成株式会社製ＵＥ−５０Ｓ
短期許容せん断応力度fs:120kg/cm2
最大せん断力Ｑ：スパン長ｌ＝３００ｃｍのとき  Q=0.01×300cm2=1.5kg/cm
接着幅：スチールバンドの幅
（ｈ）スチールバンド
厚さｔ：０．０７６ｃｍ
幅ｗ：１．２７ｃｍ
断面積Ａ：０．０９６ｃｍ２
（ｉ）引張側の断面係数  Ｚｉ＝０．０２ｃｍ２
この図２０の例（コンパネ材＋スチールバンド）について線形弾性理論で計算した結果の断面性能は、図２１に示す通りとなる。
【００９９】
次に、線形弾性理論による木製母材（コンパネ材）と補強部材（スチールバンド）との間の滑り定着応力を説明すると、図２２に示すようになる。図２２において、この例では、木製母材１１２の表面側に背着材１１６を介してスチールバンド１１４が貼付されるモデルで検討する。
【０１００】
このモデルについて定着応力度τの強度を算出すると、次の通りとなる。
dt=dM/Zi
τ・w・dx=dM/Zi
τ・w=Q/Zi
τ=Q/(Zi・w)
τ=1.5kg/cm×20cm/(0.02cm2×20cm×1.27cm)=60kg/GB
<fs=12kg/cm2・・・・・・ok
以上より、安全モーメント範囲内で線形弾性理論が成立するので、スチールバンド１１４による木材補強強化は可能である。
【０１０１】
次に、補強部材としてＭ５ボルト筋（寸切りボルト）を使用し、化粧目地にモルタル目地材を使用した場合の第１実施例（ＭＭ５ＷＭ５Ｍ）でのスベリ定着を検討する。この場合、モルタル化粧材が、木材母材（木製目地部材）とガラスブロック（ＧＢ）との間の隙間に入り込んでモルタル目地材と一体になっているので、ボルト筋と木製目地部材との定着の確認は不要であり、モルタル目地材とボルト筋との間の定着を確認することになる。
【０１０２】
補強部材としてボルト筋（寸切りボルト）（又は異形鉄筋を用いるようにしてもよい）を使用し、モルタル目地材とボルト筋との間のスベリは起こらない状態で検討することになり、この場合、モルタル目地材のせん断力は、その定着力で定着の成否が決まる。
【０１０３】
この場合の剛固定境界条件での安全（Ｍ＝９４ｋｇ）なスパン長ｌは、
スパン長ｌ＝√（１２Ｍ／ω）＝３３５≒３００ｃｍ（ＧＢ１５列に相当）
となり、また、
外装用タイル化粧目地モルタルの応力度  F=210kg/cm2
せん断短期応力度  fs=50kg/cm2
(実験値μ=94.5、σ=14.5、fs=94.5-3×14.5=50kg/cm2)
最大せん断力は  面外力p=100kg/m2(ω=0.01kg/cm/cm)時で
最大剪断力          Q=0.01×300/2=1.5kg/cm
ボルト筋（Ｍ５）の円周L=π×D=3.14×0.5=1.57cm (但し@=20cm/GB当たり)
τ=1.5x20cm/(1.57×0.05×20)=19kg/cm2<fs=50kg/cm2・・・・・ok
以上より、安全モーメント範囲内で線形弾性理論が成立することがわかる。
建物の躯体とＧＢ複合壁面体（ガラスブロックパネル）との取付の取合部を剛固定取付けが可能であれば、施工が簡単になるのみならず、壁倍率が高くなり耐力壁機能が増すことになる。
【０１０４】
ガラスブロック（ＧＢ）の破損は、多くの場合、その幅方向中央部の溶着部に起こるようになる。この溶着部を保護をし、額縁部の無垢ガラス部に加重がかかるようにすれば、ガラスブロックは破損することはない。ちなみに、１０ｍｍ厚の額縁部は圧縮強度は８，０００ｋｇ／ｃｍ２あり、この額縁部は充分な強度を有しており、従って、ガラスブロックの中央部（即ち、溶着部）に荷重負荷が加わらないようにするために、目地母材（木製目地部材）の中央部にＶカット（又は凹部）を設けることが好ましい（例えば、図２、図６、図８、図１０及び図１１など参照）。
【０１０５】
一般に、木材の圧縮強度は種類により異なるが、約５００ｋｇ／ｃｍ２程度である。また、モルタル材の圧縮強度は、約３〜４００ｋｇ／ｃｍ２であるので、ガラスブロックが破損する前に木材又はモルタルの破損が最初に起こることになるので、ガラスブロックの倒壊は起こらなくなる。
【０１０６】
図２３は、モルタル材を介して躯体負荷が木材の短期圧縮応力度だけ負荷された場合のガラスブロックの破損検討図である。
【０１０７】
また、無傷で壁倍率を上げるためには、破損が起こる前に荷重エネルギーを吸収すれば耐震機能に加えて制震機能を有することになり、建築物の地震に対する抵対性が大変有効になる。その具体策として、建物躯体とＧＢ複合壁面体（ガラスブロックパネル）との間にゴム部材を挟むと実現できる。
【０１０８】
ガラスブロック複合壁面体（ＧＢ複合壁面体）と建物の躯体との間の取合部は、例えば、図２４に示すように構成することができる。尚、図２４においては、主要部分については、その寸法を示している。
【０１０９】
図２４を参照して、建物の躯体２０２の壁面部２０４とＧＢ複合壁面体２０６との間の取合部２０８（即ち、躯体２０２及びＧＢ複合壁面体２０６を含むガラスブロック複合壁面構造体の取合部）について説明すると、ガラスブロック複合キット体（ＧＢ複合キット体）２１０の目地枠体２１２の目地部材２１４との間には、ゴム部材２１６及び補助目地部材２１８が配設されている。例えば、ゴム部材２１６は、躯体２０２の壁面部２０４に接着剤により固定され、補助目地部材２１８は、このゴム部材２１６の表面に接着剤により固定され、ＧＢ複合キット体２１０の目地部材２１４と補助目地部材２１８との間に空間２２０が存在する。
【０１１０】
このゴム部材２１６はエントロピー弾性特性を有し、引張りに対しては小さい力で大きく伸び、圧縮に対しては大きい力が必要であり、その特性を利用してパッキングやＯリング、騒音防止のための鉄道レールの下敷板などに利用されている。即ち、圧縮に対する見かけヤング率は非常に大きく、復元力もあるので、左右の地震の揺れに対してのエネルギー吸収効率がよくなる。即ち、従来施工法の耐震性に弱いローラ境界でなく、高弾性ばね特性を兼ねた剛性境界による耐力壁として、躯体との取合部に挟むことにより、大きい地震エネルギーを吸収する高効率の耐力壁としての機能を発揮する。
【０１１１】
この取合部２０８では、ゴム部材２１６の外側に一対の支持枠２２２が配設され、これら支持枠２２２は、固定ビス２２４を壁面部２０４に取り付けることにより、この壁面部２２４の内側に取り付けられる。この支持枠２２２とＧＢ複合キット体２１０のガラスブロック（ＧＢ）２２４の額縁部２２６との間には目地空間が存在し、この目地空間の内側にモルタル目地材２２８が充填され、モルタル目地材２２８の充填の後にこの目地空間に鉄筋部材２３０が挿入装着される。尚、鉄筋部材２３０の内面には、例えば、複数のバックアップ材２３２が装着され、これらバックアップ材２３２が充填したモルタル目地材２２８に食い込むように作用する。
【０１１２】
この取付状態では、図２４から理解されるように、モルタル目地材２２８を介してＧＢ複合壁面体のＧＢ複合キット体２１０（ガラスブロック２２４及び目地枠体２１２）、補助目地部材２１８、ゴム部材２１６、補強部材としてのボルト筋２３６、支持枠２２２及び鉄筋部材２３２が一体化されて固定され、これにより、ＧＢ複合壁面体と建物の躯体２０２との間が剛固定される。
【０１１３】
耐震実施例
次に、建物の壁が地震で変形し、ガラスブロック複合壁面体（ＧＢ複合壁面体）に地震振動で圧縮荷重が作用した場合の比例範囲内の耐力計算を行うと、次の通りとなる。尚、ゴム材料２１６の特性条件については、次の値を用い計算する。
【０１１４】
ヤング率E=30kg/cm2
せん断弾性率G=30/( 2(1+ν))=10kg/cm2
ポアソン比ν=0.49
体積弾性率K=30(3(1-2ν))=500kg/cm2
見かけ圧縮縦弾性率Eap=E/(1-2(ν2/(1-ν))=513kg/cm2
接触面積A=A=1×2=2cm2
厚さt=10mm
木材短期圧縮強度p=135kg/cm2
これらの条件における縦圧縮率εを算出すると、
縦圧縮率ε=1(1-exp(1-135/513))=0.23(δ=0.23cm)
となり、この結果より、ガラスブロックの破損（地震による破壊）は、木材破壊が起こった後に起こるようになり、構造上安全であることがわかる。
【０１１５】
また、２００ｃｍ高の壁に層変位による横荷重が作用したときの条件、
荷重負荷Fmax=135kg/cm2×2cm×200cm/2=27,000kg(=27ton)
その時の吸収エネルギーEe=27,000×0.23=6,200kgcm(=0.06tm)
その変位角R=0.23cm/200cm=1/870
最大圧縮応力度（木材の短期許容応力度）f=135kg/cm2
とすると、この場合のガラスブロック（ＧＢ）の破損はなく、そのときの変位角Ｒ＝１／８００で、約３０ｔの層荷重となる。耐力壁としての機能を十分に果たすことがわかる。このゴム部材２１６をＧＢ複合壁面体と建物の躯体２０２との境界に設けることは、従来ガラスブロック施工にも適合されることは申すまでもない。
【０１１６】
この線形弾性理論の適合を拡張として、ボルト、異形鉄筋以外の丸鋼筋、フラットバー（例えば、３ｍｍ×９ｍｍ）を接続部に接着してもよい。また金属製補強部材でなくてもよく、例えば炭素繊維、ガラス繊維テープなどを用いるようにしてもよい。但し、作業性及び施工コストなどを考慮して実用的価値判断をすればよいが、論理的には可能である。また、上述の実施例では配筋ピッチは＠２０ｃｍの２辺支持としているが、縦配筋、縦横配筋の４辺支持としてもよい。
【０１１７】
ＧＢ複合キット体は、上記サイズ以外でもハンドリング可能な重量（例えば、３０ｋｇ以下の適宜の重量）であれば使用可能である。例えば、ＧＢ複合キット体として、例えば１２個のＧＢから構成した場合、縦個数×横個数として、１×１２、２×６、３×４も３０ｋｇであるので、実用的に支障はなく用いることができ、施工の便利度でもって決めるようにすればよい。また、フロワー・フロワーのＰＣ並みの大型ＧＢ複合壁面体も同じ原理で施工が可能である。
【０１１８】
次に、図２５及び図２６を参照して、ガラスブロック（ＧＢ）を板状部材で囲んで積層した例について説明する。この例では、ガラスブロック（ＧＢ）３０２の周囲に板状部材３０４が設けられる。板状部材３０４は、木製板材から構成され、図２６で示すように、ＧＢ３０２の額縁部３０６の段部３０８に載置されるように取り付けられ、目地部材として機能する。この板状部材３０２は、例えば、ＧＢ３０２の側壁部３１０との間に例えばモルタル目地材３１２を充填する、或いは板状部材３０４を接着剤で固定することによりＧＢ３０２の周囲に取り付けられ、このように構成することにより、ＧＢ３０２の周囲を板状部材３０４を囲んだＧＢ複合キット体３１４が構成される。
【０１１９】
縦方向（又は横方向）に隣接するＧＢ複合キット体３１４は、図２６に示すように接合される。ＧＢ複合キット体３１４は、その板状部材３０４がＧＢ３０２の額縁部３０６の１０ｍｍ厚のうちの５ｍｍ部分の段部３０８に引っかかるように取り付けられており、この板状部材３０４を接着剤により相互に固着するように取り付け、この取付けの際に、板状部材３０４間に薄板シム（図示せず）を介在させて隣接するＧＢ複合キット体３１４の目地幅を調整する。
【０１２０】
その後、隣接するＧＢ複合キット体３１４の板状部材３０４の側面に、接着剤により補強部材としてのスチールバンド３１６を貼付し、その後、スチールバンド３１６の表面側を目地仕上げを行う。この施工方式では、施工費を安くできるが、図２６に示すように、化粧目地のための目地空間が浅いので、化粧目地材としてモルタル目地材を使用することができず、シール目地材３１８による化粧仕上げに限定される。但し、この場合、補強部材の有効厚が深くなるので、力学的には効率が良くなる。
【０１２１】
この施工方法の特徴は、ＧＢ３０２の額縁３０６で建築物の荷重負荷を受けるので、強度的に非常に強く、光を透す耐震性の大変優れた耐力壁となる。
【０１２２】
拡張した施工方法としては、１列の長辺のパネル（例えば、横１０個×縦１個）を作成すれば、横方向に例えば１０列（約２００ｃｍ）幅のものを一つの複合キット体とすることができ、このような長辺パネルを用いて継ぎ目なく施工することができる。この細長い長方形状のＧＢ複合キット体を縦方向に使用すれば、曲面壁の施工も可能となる。
【０１２３】
大面積のガラスブロック複合壁面体（ＧＢ複合壁面体）を構築した場合、熱膨張などによる自然応力が作用するために、熱膨張を逃がすための目地を設置するのが一般的であるが、自然発生する応力度よりも構造体の許容応力度が大きければＧＢ複合壁面体の破壊は起こらない。例えば、鉄の許容応力度よりも負荷応力度が小さければ鉄の破損は起こらない。この原理を応用した例として鉄道のエンドレスレールである。木製母材（木製目地部材）のＲＧＷ（Reinforced GlassBlock Wood）では自然に発生する膨張応力度よりも圧縮許容値が大きいので、エンドレスの壁面は破損することはなく、熱膨張の逃がし目地がない目地なしの大面積のガラスブロック複合壁面体の施工が可能となる。
【０１２４】
このＲＧＷと言えども補強の限界があり、そのために、超大面積のＧＢ複合壁面体では、例えば、図２７及び図２８に示すように施工するのが望ましい。図２７及び図２８において、超大面積のＧＢ複合壁面体３３２によるＧＢ複合壁面構造体３３４においては、このＧＢ複合壁面体３３２は、例えば、上述したようにして建物の躯体３３３に支持され、このＧＢ複合壁面体３３２の中間部を支持するために、その中間部に中間支持手段３３６が設けられ、この中間支持手段３３６による支持は、例えば図２７における中間支点Ｐにて行われる。この場合、中間支持手段３３６は、建物の構造躯体３３８（例えば、バック構造体）からＧＢ複合壁面体３３２を支えるように構成され、ＧＢ複合壁面体３３２に作用する面外力を支える。
【０１２５】
この場合、例えば有限要素法などを用いて力学解析のシミュレーションをし、中間支点Ｐにおける反力、ＧＢ複合壁面体３３２の断面性能から中間支点Ｐの位置と間隔とを構造解析して中間支点Ｐの位置を求める。
【０１２６】
中間支持手段３３６は、図２８に示すように、例えばボルト筋３４０（寸切りボルト）備え、このボルト筋３４０の一端部（後端部）は、構造躯体３３８に埋め込まれ、他端部（先端部）は、例えば隣接するＧＢ複合キット体３４２のガラスブロック（ＧＢ）３４４の周囲を囲む目地枠体３４６を貫通して設けられ、例えば一対の固定用ナット３４８を用いてＧＢ複合キット体３４２（目地枠体３４６）に固定される。尚、ボルト筋３４０の長さは、構造躯体３３８（バック構造体）から座屈しない範囲の適宜の長さに設定され、このように中間支持手段３３６を支持することにより、大面積の光を透すＧＢ複合壁面体３３２の施工が可能となる。
【０１２７】
この場合、面外力に対する曲げモーメントを補強する方法として、ＧＢ複合壁面体３３２の中間部に面外支点を設けることで構造的にクリアすることができ、ＧＢの破損は起り得ない。従って、熱膨張の逃げのための目地を必要としないエンドレスの超大面積のＧＢ複合壁面体３３２の構築も可能となる。
【０１２８】
以上、本発明に従うガラスブロック複合キット体、このガラスブロック複合キット体を用いたガラスブロック複合壁面体の構築施工方法、及びこの構築施工方法により構築したガラスブロック複合壁面体を用いたガラスブロック複合壁面構造体の実施形態について説明した、本発明はこれらの実施形態に限定されず、本発明の範囲を逸脱することなく種々の変更乃至修正が可能である。
【符号の説明】
【０１２９】
２，２Ａ，２Ｂ，２Ｃ，２１０，３１４  ガラスブロック複合キット体（ＧＢ複合キット体）
４，２２４，３０２  ガラスブロック（ＧＢ）
６，６Ａ，８，８Ａ，１０，１０Ａ，１２，１２Ａ，５２，１０２，２１４  目地部材
１４，２１２  目地枠体
３２  溶着部
４２，５４，２０６，３３２  ガラスブロック複合壁面体（ＧＢ複合壁面体）
５６  補強部材
５８，２０２，３３３  躯体
６４，３３４  ガラスブロック複合壁面構造体（ＧＢ複合壁面構造体）
７２，７４  鉄筋
７６，８６，９０，２２８，３１２  モルタル材
８２，８４，９４，１０４，１１４，３１６  スチールハンド
９２  ボルト筋
９６，３１８  シール材
２０８  取合部
２１６  ゴム部材
３０２  板状部材
３３６  中間支持手段
Ｐ  中間支点
【図１】
2020041342.tif 000003
【図２】
2020041342.tif 000004
【図３】
2020041342.tif 000005
【図４】
2020041342.tif 000006
【図５】
2020041342.tif 000007
【図６】
2020041342.tif 000008
【図７】
2020041342.tif 000009
【図８】
2020041342.tif 000010
【図９】
2020041342.tif 000011
【図１０】
2020041342.tif 000012
【図１１】
2020041342.tif 000013
【図１２】
2020041342.tif 000014
【図１３】
2020041342.tif 000015
【図１４】
2020041342.tif 000016
【図１５】
2020041342.tif 000017
【図１６】
2020041342.tif 000018
【図１７】
2020041342.tif 000019
【図１８】
2020041342.tif 000020
【図１９】
2020041342.tif 000021
【図２０】
2020041342.tif 000022
【図２１】
2020041342.tif 000023
【図２２】
2020041342.tif 000024
【図２３】
2020041342.tif 000025
【図２４】
2020041342.tif 000026
【図２５】
2020041342.tif 000027
【図２６】
2020041342.tif 000028
【図２７】
2020041342.tif 000029
【図２８】
2020041342.tif 000030